(57)【要約】  本発明の実施例において、反射板と、反射板の裏に配置される給電網とを備えるロング・ターム・エボリューション（ＬＴＥ）多入力多出力（ＭＩＭＯ）通信システムのマルチアンテナ・アレイが開示され、複数の配電板が反射板の裏に配置されて、それぞれ、異なる偏波方式のアンテナ放射ユニットへの電力分配を制御し、その複数の配電板が上層と下層とに別々に配置され、また全て反射板の平行平面の幾何学的中心に位置する。本発明の実施例は、ＬＴＥ  ＭＩＭＯ通信システムのマルチアンテナ・アレイの給電網の無秩序なレイアウトを回避し、異なる偏波方式のアンテナ放射ユニットの給電方式を簡易にし、ＬＴＥ  ＭＩＭＯ通信システムのマルチアンテナ・アレイの大量生産時の複雑度及び誤り率を低減し、且つ障害追跡及び故障給電回路の交換が容易である。
2016516372.tif 000002
【特許請求の範囲】
【請求項１】
反射板と、前記反射板の裏に設けられる給電網とを備えるＬＴＥ  ＭＩＭＯ通信システム用マルチアンテナ・アレイであって、複数の配電板が前記反射板の裏に配置されて、それぞれ、異なる偏波方式のアンテナ放射ユニットへの電力分配を制御し、前記複数の配電板が上下層に設けられ、また前記反射板の平行平面の幾何学的中心に位置することを特徴とする、ＬＴＥ  ＭＩＭＯ通信システム用マルチアンテナ・アレイ。
【請求項２】
２組以上の配電板支持板を更に備え、前記２組以上の配電板支持板が異なる台高さを有し、またそれぞれ締結具により前記反射板に固定されており、
前記複数の配電板のうちの１つが締結具により前記反射板に固定され、
前記１つの配電板を除く他の配電板がそれぞれ締結具により１組の配電板支持板に固定されることを特徴とする、請求項１に記載のマルチアンテナ・アレイ。
【請求項３】
前記複数の配電板のうちの各配電板がそれぞれ前記給電網における１つの偏波方式のアンテナ放射ユニットの給電ケーブルに接続されることを特徴とする、請求項２に記載のマルチアンテナ・アレイ。
【請求項４】
前記複数の配電板が詳細には、２つの偏波方式のアンテナ放射ユニットへの電力分配をそれぞれ制御するための２つの配電板を含むことを特徴とする、請求項３に記載のマルチアンテナ・アレイ。
【請求項５】
前記複数の配電板のうちの各配電板がそれぞれ、その左右両側のポートから、前記給電網における１つの偏波方式のアンテナ放射ユニットの給電ケーブルに接続されることを特徴とする、請求項２に記載のマルチアンテナ・アレイ。
【請求項６】
前記複数の配電板のうちの幾つかの配電板の各々がそれぞれ前記給電網における１つの偏波方式のアンテナ放射ユニットの給電ケーブルに接続され、
前記複数の配電板のうちの前記幾つかの配電板を除く各配電板がそれぞれ、その左右両側のポートから、前記給電網における１つの偏波方式のアンテナ放射ユニットの給電ケーブルに接続されることを特徴とする、請求項２に記載のマルチアンテナ・アレイ。
【請求項７】
前記給電網における異なる偏波方式のアンテナ放射ユニットの給電ケーブルのために、異なる色のケーブルが用いられることを特徴とする、請求項１から６までのいずれかに記載のマルチアンテナ・アレイ。
【請求項８】
前記複数の配電板が全て前記反射板の幾何学的中心に関して対称に配置されることを特徴とする、請求項７に記載のマルチアンテナ・アレイ。
【請求項９】
前記給電網における前記複数の配電板の各々の左右両側に位置する給電ケーブルが、それぞれの配電板の左右両側の対応するポートに接続され、各配電板の左右両側にある給電ケーブルの配置が前記反射板の幾何学的中心に関して対称であることを特徴とする、請求項８に記載のマルチアンテナ・アレイ。
【請求項１０】
複数組のマルチアンテナ・アレイが提供され、前記複数組のマルチアンテナ・アレイの複数の配電板が、前記複数組のマルチアンテナ・アレイの前記反射板の平行平面上に「田」の字型に配置されることを特徴とする、請求項７に記載のマルチアンテナ・アレイ。
【請求項１１】
複数組のマルチアンテナ・アレイが提供され、前記複数組のマルチアンテナ・アレイの複数の配電板は、前記複数組のマルチアンテナ・アレイの前記反射板の平行平面上に並列に配置されることを特徴とする、請求項７に記載のマルチアンテナ・アレイ。
【発明の詳細な説明】
【技術分野】
【０００１】
本発明は通信技術に関し、更に具体的には、ロング・ターム・エボリューション（ＬＴＥ：Ｌｏｎｇ  Ｔｅｒｍ  Ｅｖｏｌｕｔｉｏｎ）多入力多出力（ＭＩＭＯ：Ｍｕｌｔｉ−Ｉｎｐｕｔ  Ｍｕｌｔｉ−Ｏｕｔｐｕｔ）通信システム用マルチアンテナ・アレイに関する。
【背景技術】
【０００２】
近年、移動体通信網は第３世代（３Ｇ）に達し、３Ｇ網の世界的な大規模展開や商業的応用が行われている。データ・サービスやモバイル・インターネットの継続的な普及や伸展に伴い、国際標準化機構はＬＴＥ並びに第４世代（４Ｇ）及びその他の移動体通信の技術基準を開発し、ネットワーク技術やサービス容量の更なる発展に対応している。別々の空間伝送路を十分に利用してネットワーク・サービス速度及びリンク性能を大きく向上し得るため、ＭＩＭＯ技術はＬＴＥ及び未来の４Ｇ技術の核の１つとなっている。ＬＴＥ  ＭＩＭＯ通信システムでは、通信システムの送信機と受信機の両方で複数のアンテナが採用され、無線マルチパス・チャネルの空間自由度を十分に利用してシステム容量や伝送速度を改善し、結果的にシステム複雑度の増加を代償にスペクトル効率を高めることが、多数のマルチパス環境において増大する容量需要に応える有力な解決策となる。
【０００３】
アンテナは、ＬＴＥ  ＭＩＭＯ通信システムにおいて直接、伝送チャネルのインタフェースとなるよう採用され、システム中で空間自由度に最も敏感な構成要素である。従来のＬＴＥ  ＭＩＭＯ通信システムでは、基地局は一般に長距離マルチアンテナ・アレイを採用して空間ダイバーシティを実現し、ここでアンテナ・ユニットは単線アンテナ構造である。ＬＴＥ  ＭＩＭＯ技術の継続的な発展に伴い、アンテナ間の距離はますます縮まり、アンテナ・ユニット間の結合がより一層深刻となり、システム性能の更なる改善への制限となっている。この問題に鑑みて提案された多偏波アンテナ技術では、同一位置に設けられる複数のアンテナ・ユニットを用いて電磁波の複数の界成分を十分に利用すると共に限られたスペース内で自由度を大きく向上させ、空間ＬＴＥ  ＭＩＭＯアンテナと同等の利得を得る。
【発明の概要】
【発明が解決しようとする課題】
【０００４】
しかしながら、本発明の開発において、本発明者らは、既存のＬＴＥ  ＭＩＭＯ通信システムのマルチアンテナ・アレイは少なくとも以下の問題を有することを見出した。
【０００５】
多偏波アンテナ技術を採用する既存のマルチアンテナ・アレイでは、配電板が１つしか採用されておらず、異なる偏波方式のアンテナ放射ユニットの給電回路が不規則に配置され、それら給電回路から成る給電網の配置が複雑で無計画なものとなってしまい、アンテナ・ユニットの放射効率に影響を及ぼすのみならず、マルチアンテナ・アレイの大量生産時の複雑度及び誤り率を増大してしまう。更には、その後のマルチアンテナ・アレイの使用時には、アンテナ放射ユニットの給電回路に故障が生じた場合、その給電回路上の故障を突き止めることが容易でなく、給電回路の交換も複雑となる。
【０００６】
本発明の実施例において解決すべき１つの技術的課題は、既存のＬＴＥ  ＭＩＭＯ通信システムに採用されるマルチアンテナ・アレイの給電網における複雑な配置及び高い誤り率の問題に鑑みて、ＬＴＥ  ＭＩＭＯ通信システム用マルチアンテナ・アレイを提供することにより、ＬＴＥ  ＭＩＭＯ通信システムに採用されるマルチアンテナ・アレイの給電網の無秩序な配置を防止し、異なる偏波方式のアンテナ放射ユニットへの電力供給を簡易にし、ＬＴＥ  ＭＩＭＯ通信システムのマルチアンテナ・アレイの大量生産時の複雑度及び誤り率を低減し、且つ故障の特定及び給電回路の交換を容易にすることである。
【課題を解決するための手段】
【０００７】
本発明の実施例において提供されるＬＴＥ  ＭＩＭＯ通信システム用マルチアンテナ・アレイは、反射板と、反射板の裏に設けられる給電網とを備え、複数の配電板が反射板の裏に配置されて、それぞれ、異なる偏波方式のアンテナ放射ユニットへの電力分配を制御し、その複数の配電板は上下層に且つ反射板の平行平面の幾何学的中心に設けられる。
【０００８】
本発明による前述のＬＴＥ  ＭＩＭＯ通信システム用マルチアンテナ・アレイは、別の実施例において、２組以上の配電板支持板を更に備え、その２組以上の配電板支持板は異なる台高さを有し、またそれぞれ締結具により反射板に固定されており、
複数の配電板のうちの１つは締結具により反射板に固定され、
上記１つの配電板を除く他の配電板はそれぞれ締結具により１組の配電板支持板に固定される。
【０００９】
本発明による前述のＬＴＥ  ＭＩＭＯ通信システム用マルチアンテナ・アレイの別の実施例において、複数の配電板のうちの各配電板はそれぞれ給電網における１つの偏波方式のアンテナ放射ユニットの給電ケーブルに接続される。
【００１０】
本発明による前述のＬＴＥ  ＭＩＭＯ通信システム用マルチアンテナ・アレイの別の実施例において、複数の配電板は詳細には、２つの偏波方式のアンテナ放射ユニットへの電力分配をそれぞれ制御するための２つの配電板を含む。
【００１１】
本発明による前述のＬＴＥ  ＭＩＭＯ通信システム用マルチアンテナ・アレイの別の実施例において、複数の配電板のうちの各配電板はそれぞれ、その左右両側のポートから、給電網における１つの偏波方式のアンテナ放射ユニットの給電ケーブルに接続される。
【００１２】
本発明による前述のＬＴＥ  ＭＩＭＯ通信システム用マルチアンテナ・アレイの別の実施例において、複数の配電板のうちの幾つかの配電板の各々はそれぞれ給電網における１つの偏波方式のアンテナ放射ユニットの給電ケーブルに接続され、
複数の配電板のうちのその幾つかの配電板を除く各配電板はそれぞれ、その両側のポートから、給電網における１つの偏波方式のアンテナ放射ユニットの給電ケーブルに接続される。
【００１３】
本発明による前述のＬＴＥ  ＭＩＭＯ通信システム用マルチアンテナ・アレイの別の実施例において、給電網における異なる偏波方式のアンテナ放射ユニットの給電ケーブルのために、異なる色のケーブルが用いられる。
【００１４】
本発明による前述のＬＴＥ  ＭＩＭＯ通信システム用マルチアンテナ・アレイの別の実施例において、複数の配電板は全て反射板の幾何学的中心に関して対称に配置される。
【００１５】
本発明による前述のＬＴＥ  ＭＩＭＯ通信システム用マルチアンテナ・アレイの別の実施例において、給電網における複数の配電板の各々の左右両側にある給電ケーブルは、それぞれの配電板の左右両側の対応するポートに接続され、各配電板の左右両側にある給電ケーブルの配置は反射板の幾何学的中心に関して対称である。
【００１６】
本発明による前述のＬＴＥ  ＭＩＭＯ通信システム用マルチアンテナ・アレイの別の実施例において、複数組のマルチアンテナ・アレイが設けられ、その複数組のマルチアンテナ・アレイの複数の配電板は、その複数組のマルチアンテナ・アレイの反射板の平行平面上に「田」の字型に配置される。
【００１７】
本発明による前述のＬＴＥ  ＭＩＭＯ通信システム用マルチアンテナ・アレイの別の実施例において、複数組のマルチアンテナ・アレイが設けられ、その複数組のマルチアンテナ・アレイの複数の配電板は、その複数組のマルチアンテナ・アレイの反射板の平行平面上に並列に配置される。
【発明の効果】
【００１８】
本発明の上記実施例に基づいて提供されるＬＴＥ  ＭＩＭＯ通信システム用マルチアンテナ・アレイでは、既存のＬＴＥ  ＭＩＭＯ通信システムに採用されるマルチアンテナ・アレイの給電網に対して最適化が行われる。異なる偏波方式のアンテナ放射ユニットへの電力分配を制御するための複数の配電板がそれぞれ反射板の裏に配置される。複数の配電板は別々に上下層に配置され、それらの全ては反射板の平行平面の幾何学的中心に位置する。複数の配電板が別々に上下層に配置されて、それぞれ、異なる偏波方式のアンテナ放射ユニットの給電及び配電制御を行うため、従来技術と比較して、本発明の実施例では、異なる偏波方式のアンテナ放射ユニットの給電回路がマルチアンテナ・アレイの限られた給電スペース内に別々に効率的に配置されて、給電方式を簡易化すると共にマルチアンテナ・アレイの給電回路の無秩序な配置を防止する結果、マルチアンテナ・アレイでの秩序ある給電配線及びより簡単な組立てが可能となり、マルチアンテナ・アレイの大量生産時の複雑度及び誤り率が大きく低減し、且つ故障の特定及び給電回路の交換が容易となる。
【図面の簡単な説明】
【００１９】
【図１】本発明の実施例のＬＴＥ  ＭＩＭＯ通信システム用マルチアンテナ・アレイの概略構造図である。
【図２】本発明の応用実施例のＬＴＥ  ＭＩＭＯ通信システム用マルチアンテナ・アレイの概略構造図である。
【図３】本発明の別の応用実施例のＬＴＥ  ＭＩＭＯ通信システム用マルチアンテナ・アレイの概略構造図である。
【発明を実施するための形態】
【００２０】
以下更に、本発明の技術的解決策を図面と特定の実施例とを参照しつつ詳述する。
【００２１】
添付図面は本明細書に組み込まれてその一部を構成しており、本発明の実施例を例示し、またその記述と共に、本発明の原理の説明を担う。
【００２２】
図面を参照することで、以下の記述から得られる本発明の理解がより明確になろう。
【００２３】
本発明の種々の例示的実施例をこれから図面を参照しつつ詳述する。これらの実施例に記載の構成要素及び工程の相対的配置、数値表現、並びに数値は別段の明記がない限り本発明の範囲を限定するものではないことに注意されたい。
【００２４】
一方、説明の都合上、それらの図面に図示される様々な部品は必ずしも実尺で描かれるわけではないことを理解されたい。
【００２５】
以下の少なくとも１つの例示的実施例の説明は性質上、例示に過ぎず、本発明、その応用例又は使用例を如何なる方法でも限定することを意味するものではない。
【００２６】
当業者に既知の技術、方法及び装置は詳述せずとも、必要に応じて本明細書の一部となるものとする。
【００２７】
本明細書で例示され論じられる実例の全てにおいて、如何なる特定の値も例示的に過ぎず非限定的と解釈されるべきである。したがって、例示的実施例の他の実例は異なる値をとり得る。
【００２８】
以下の図において同様の参照数字及び文字は同様の部材を示し、したがって１つの部材が１つの図で一旦定義されると、以降の図に関しては更なる説明は不要となり得ることに注意されたい。
【００２９】
図１は本発明の実施例に従うＬＴＥ  ＭＩＭＯ通信システム用マルチアンテナ・アレイの概略構造図である。図１に示すように、本実施例のＬＴＥ  ＭＩＭＯ通信システム用マルチアンテナ・アレイは、反射板１１０と、反射板１１０の裏に設けられる給電網（図示せず）と、を備え、ここで反射板１１０の裏とは、図１において上面斜視から確認されるであろう反射板１１０の上を向いた側であり、更に、図１では図示されない反射板１１０の表、即ち仰観斜視から確認されるであろう反射板１１０の下を向いた側に位置するアンテナ放射ユニットを備える。ここで、異なる偏波方式のアンテナ放射ユニットへの電力分配を制御するための複数の配電板１２０がそれぞれ反射板１１０の裏に設けられる。複数の配電板１２０は上下層に配置され、それらの全ては反射板１１０の平行平面の幾何学的中心に位置する。明瞭化のため、図１では実例として配電板１２０を２つのみ図示する。配電板１２０が２つより多いの場合、配電板１２０が２つの場合を参照してよく、その場合もそれらは別々に上下層に配置されてもよい。
【００３０】
本発明の上記実施例にて提供されるＬＴＥ  ＭＩＭＯ通信システム用マルチアンテナ・アレイでは、既存のＬＴＥ  ＭＩＭＯ通信システムに採用されるマルチアンテナ・アレイの給電網に対して最適化が行われる。異なる偏波方式のアンテナ放射ユニットへの電力分配を制御するための複数の配電板がそれぞれ反射板の裏に配置される。複数の配電板は別々に上下層に配置され、それらの全ては反射板の平行平面の幾何学的中心に位置する。複数の配電板が別々に上下層に配置されて、それぞれ、異なる偏波方式のアンテナ放射ユニットの給電及び配電制御を行うため、従来技術と比較して、本発明の実施例では、異なる偏波方式のアンテナ放射ユニットの給電回路がマルチアンテナ・アレイの限られた給電スペース内に別々に効率的に配置されて、給電方式を簡易化すると共にマルチアンテナ・アレイの給電回路の無秩序な配置を防止する結果、マルチアンテナ・アレイでの秩序ある給電配線及びより簡単な組立てが可能となり、マルチアンテナ・アレイの大量生産時の複雑度及び誤り率が大きく低減し、且つ故障の特定及び給電回路の交換が容易となる。
【００３１】
再び図１を参照し、本発明の特定の実施例において、ＬＴＥ  ＭＩＭＯ通信システム用マルチアンテナ・アレイは、２組以上の配電板支持板１３０を更に備え、その２組以上の配電板支持板１３０は異なる台高さを有し、また締結具により反射板１１０に固定される。詳細には、配電板支持板１３０の数は配電板１２０の数より１つ少なくてもよい。相応して、複数の配電板１２０のうちの１つは締結具により反射板１１０に固定される一方、その１つの配電板１２０を除く他の配電板１２０はそれぞれ締結具により１組の配電板支持板１３０に固定される。
【００３２】
更に、配電板支持板１３０の数は配電板１２０の数と等しくてよく、複数の配電板１２０の各々はそれぞれ締結具により１組の配電板支持板１３０に固定される。
【００３３】
本発明のＬＴＥ  ＭＩＭＯ通信システム用マルチアンテナ・アレイの特定の実施例において、複数の配電板１２０の各々は、給電網における１つの偏波方式のアンテナ放射ユニットの給電ケーブル、即ちアンテナ放射ユニットへ電力を送るための同軸ケーブルに接続される。本発明の実施例に従うＬＴＥ  ＭＩＭＯ通信システム用マルチアンテナ・アレイの特定の実例によれば、非限定的に、前述の本発明の種々の実施例の複数の配電板１２０は詳細には、２つの偏波方式のアンテナ放射ユニットへの電力分配を別々に制御するための２つの配電板１２０を含んでもよい。１つの偏波方式のアンテナ放射ユニットのための配電板１２０は１組の配電板支持板１３０に装着され、また別の偏波方式のアンテナ放射ユニットのための他の配電板１２０の上方に固定される。異なる偏波方式のアンテナ放射ユニットから外に伸びる給電ケーブルはそれぞれ上下の配電板１２０に接続される。
【００３４】
本発明のＬＴＥ  ＭＩＭＯ通信システム用マルチアンテナ・アレイの別の特定の実施例において、複数の配電板１２０の各々はそれぞれ、その左右両側のポート１４０から、給電網における１つの偏波方式のアンテナ放射ユニットの給電ケーブルに接続される。ここで、配電板１２０の左右両側のポート１４０は配電板１２０上のマイクロストリップ・アクセス・ポートである。配電板１２０の左右両側にある給電ケーブルは詳細には、その左右両側の対応するポート１４０（マイクロストリップ・アクセス・ポート）に溶接で接続される。
【００３５】
本発明のＬＴＥ  ＭＩＭＯ通信システム用マルチアンテナ・アレイの別の特定の実施例において、複数の配電板１２０のうちの幾つかの配電板の各々はそれぞれ給電網における１つの偏波方式のアンテナ放射ユニットの給電ケーブルに接続される一方、複数の配電板１２０のうちのその幾つかの配電板を除く各配電板はそれぞれ、その左右両側のポート１４０から、給電網における１つの偏波方式のアンテナ放射ユニットの給電ケーブルに接続される。
【００３６】
特定の応用例において、例えば、給電ケーブルとして５０Ω同軸ケーブルを用いて配電板１２０の左右両側のポート１４０を各アンテナ放射ユニットの出力端子に接続してもよい。
【００３７】
異なる偏波方式のアンテナ放射ユニットの給電ケーブルを区別するため、前述の本発明の種々の実施例のＬＴＥ  ＭＩＭＯ通信システム用マルチアンテナ・アレイにおいて、詳細には、給電網における異なる偏波方式のアンテナ放射ユニットの給電ケーブルのために、異なる色のケーブルを用いてもよい。
【００３８】
前述の本発明の種々の実施例のＬＴＥ  ＭＩＭＯ通信システム用マルチアンテナ・アレイにおいて、複数の配電板１２０の全ては反射板１１０の幾何学的中心に関して対称に配置、即ち、配電板１２０は反射板１１０の平面に関して中央に配置され、その左右両側の同軸ケーブルの対称的配線を容易にする。
【００３９】
更に、例えば、給電網の複数の配電板１２０の各々の左右両側に位置する給電ケーブルはそれぞれ、対応する配電板１２０の左右両側の対応するポート１４０に接続され、各配電板１２０の左右両側にある給電ケーブルの配置は反射板１１０の幾何学的中心（マルチアンテナ・アレイの幾何学的中心でもある）に関して対称である。
【００４０】
例えば、給電網は、図１に示すように上下層に配置され、且つマルチアンテナ・アレイの中心に位置する。異なる偏波方式のＬＴＥアンテナ放射ユニットから外に伸びる給電ケーブルはそれぞれ上下の配電板に接続され、またその異なる色により区別される。異なる偏波方式のアンテナ放射ユニットへの電力分配を制御するための配電板は対称的に配置される。配電板の左右両側に位置する給電ケーブルはそれぞれ配電板の左右両側の対応するポートに接続される。配電板の左右両側にある給電ケーブルは対称的に配置される。本発明者らが行った多くの組立実験を通して、そのような給電配置により、マルチアンテナ・アレイの放射効率の向上に加え、マルチアンテナ・アレイの大量生産時の複雑度及び誤り率が低減され得、一方でアンテナ・アレイの簡潔な配線がもたらされ得ることが見出された。
【００４１】
本発明の実施例のＬＴＥ  ＭＩＭＯ通信システム用マルチアンテナ・アレイの特定の応用例として、複数組のマルチアンテナ・アレイが設けられ、ここで、その複数組のマルチアンテナ・アレイの複数の配電板１２０は、その複数組のマルチアンテナ・アレイの反射板１１０の平行平面上に「田」の字型に配置される。図２は本発明の応用実施例のＬＴＥ  ＭＩＭＯ通信システム用マルチアンテナ・アレイの概略構造図である。図２に示すように、マルチアンテナ・アレイの「田」の字配置において、それらの給電網は上下層に配置され、またそれらマルチアンテナ・アレイの中心位置に設けられる。異なる偏波方式のアンテナ放射ユニットから外に伸びる給電ケーブルはそれぞれ上下の配電板に接続され、また異なる色により区別される。異なる偏波方式のアンテナ放射ユニットへの電力分配を制御するための配電板は対称的に設けられる。配電板の左右両側に位置する給電ケーブルはそれぞれ、配電板の左右両側の対応するポートに接続される。配電板の左右両側にある給電ケーブルは対称的に配置される。
【００４２】
本発明の実施例のＬＴＥ  ＭＩＭＯ通信システム用マルチアンテナ・アレイの別の特定の応用例として、複数組のマルチアンテナ・アレイが設けられ、ここで、その複数組のマルチアンテナ・アレイの複数の配電板１２０は、その複数組のマルチアンテナ・アレイの反射板１１０の平行平面上に並列に配置される。図３は本発明の別の応用実施例のＬＴＥ  ＭＩＭＯ通信システム用マルチアンテナ・アレイの概略構造図である。図３に示すように、マルチアンテナ・アレイの並列配置において、それらの給電網は上下層に配置され、またそれらマルチアンテナ・アレイの中心位置に設けられる。異なる偏波方式のアンテナ放射ユニットから外に伸びる給電ケーブルはそれぞれ上下の配電板に接続され、また異なる色のケーブルにより区別される。異なる偏波方式のアンテナ放射ユニットへの電力分配を制御するための配電板は対称的に設けられる。配電板の左右両側に位置する給電ケーブルはそれぞれ、配電板の左右両側の対応するポートに接続される。配電板の左右両側にある給電ケーブルは対称的に配置される。
【００４３】
前述の本発明の実施例において、固定ユニット１を用いてアンテナ放射ユニットを反射板に固定し、固定ユニット２を用いてマルチアンテナ・アレイをアンテナのハウジングに固定する。
【００４４】
本発明の種々の実施例を漸進的に説明したため、各実施例は他の実施例とは異なる強調点を有する。種々の実施例を相互参照することでその同一又は類似部分を確認できる。
【００４５】
当業者は、上記実施例の方法ステップの全て又は一部は、コンピュータ可読記憶媒体に記憶できるものである、ハードウェアに関連するプログラム手段により、そのプログラムを実行して上記方法実施例のステップを実行することで、実施され得ることを理解できよう。尚、上記記憶媒体はＲＯＭ、ＲＡＭ、磁気ディスク又は光ディスク、及びプログラム・コードが記憶され得る任意のその他媒体を含む。
【００４６】
本発明の実施例によれば、異なる偏波方式のアンテナ放射ユニットの給電回路がマルチアンテナ・アレイの限られた給電スペース内に別々に効率的に配置されて、給電を簡易化すると共にマルチアンテナ・アレイの給電回路の無秩序な配置を防止する結果、マルチアンテナ・アレイでの秩序ある給電配線及びより簡単な組立てが可能となり、マルチアンテナ・アレイの大量生産時の複雑度及び誤り率が大きく低減し、且つ故障の特定及び給電回路の交換が容易となる。
【００４７】
上記の記載は例示及び説明のためになされるに過ぎず、また網羅的ではなく、本発明を開示された形態に限定するものでもない。多くの変形及び変更が当業者には明らかである。実施例は、本発明の原理及び実際的応用をより良く例示するために選択され記述されるため、当業者は本発明を理解でき、また特定の使用法に適した種々の変形が加えられた種々の実施例を想像できる。
【図３】
2016516372.tif 000003
【図１】
2016516372.tif 000004
【図２】
2016516372.tif 000005
【国際調査報告】
2016516372.tif 000006
2016516372.tif 000007
2016516372.tif 000008
2016516372.tif 000009